(57)【要約】【課題】室内，屋外を問わず、容易に紫外線量を確認できる腕時計の提供。【解決手段】紫外線センサーを備えた時刻を表示する表示部を含む腕時計であって、紫外線を計測する紫外線センサーと、紫外線の計測の開始を指示するスタートスイッチと、スタートスイッチの指示により紫外線の測定時間の掲示を開始するタイマーと、屋外，屋内のモード選択スイッチと、天候状況を選択する天候選択スイッチと、紫外線量を予測する手段とからなり、表示部に開始からの紫外線量，現在の紫外線量，所定時間後の紫外線量のいずれかをセグメント表示するようにしたことを特徴とする。また、紫外線開始時刻と現時点での紫外線総量、モード選択スイッチ，天候選択スイッチの選択入力に基づいて、サンタン(日焼け)現象を予測するようにしたものである。また、ｉ−モード機能を備え、サンタン防止の化粧品をインターネットを通じて検索可能にしたものである。【選択図】  図１
2006071582.tif 000002
【特許請求の範囲】
【請求項１】
紫外線センサーを備えた時刻を表示する表示部を含む腕時計であって、
紫外線を計測する紫外線センサーと、紫外線の計測の開始を指示するスタートスイッチと、該スタートスイッチの指示により紫外線の測定時間の掲示を開始するタイマーと、屋外，屋内のモード選択スイッチと、天候状況を選択する天候選択スイッチと、紫外線量を予測する手段とからなり、
該表示部に開始からの紫外線量，現在の紫外線量，所定時間後の紫外線量のいずれかをセグメント表示するようにしたことを特徴とする紫外線測定機能付腕時計。
【請求項２】
紫外線開始時刻と現時点での紫外線総量、モード選択スイッチ，天候選択スイッチの選択入力に基づいて、サンタン(日焼け)現象を予測するようにした請求項１記載の紫外線測定機能付腕時計。
【請求項３】
ｉ−モード機能を備え、サンタン防止の化粧品をインターネットを通じて検索可能にした請求項１記載の紫外線測定機能付腕時計。
【請求項４】
温度センサー、湿度センサーをさらに備え、予め記憶された相関式から熱中症の予測機能も備えた請求項１記載の紫外線測定機能付腕時計。
【発明の詳細な説明】
【技術分野】
【０００１】
本発明は、紫外線測定機能付腕時計に関する。
【背景技術】
【０００２】
紫外線量を測定・予測し、その積算量に応じてユーザーの希望により紫外線量が所定のレベルを越えるとアラーム等を表示する携帯型装置が提案されている(特許文献１：特開２００２−２２４０４８号公報)。また、紫外線センサーを備えた腕時計型電子機器も提案されている(特許文献２：特開２００１−３２４５８２号公報)。
【特許文献１】特開２００２−２２４０４８号公報
【特許文献２】特開２００１−３２４５８２号公報
【発明の開示】
【発明が解決しようとする課題】
【０００３】
しかしながら、屋外から屋内に移動したリ、天候が急変した場合などにおいては紫外線量の予測値が大きく外れるという問題がある。したがって、本願発明は、室内，屋外を問わず、容易に紫外線量を確認できる腕時計を提供することを目的とする。
【課題を解決するための手段】
【０００４】
本発明は、上記問題を解決するためになされたもので、紫外線センサーを備えた時刻を表示する表示部を含む腕時計であって、紫外線を計測する紫外線センサーと、紫外線の計測の開始を指示するスタートスイッチと、スタートスイッチの指示により紫外線の測定時間の掲示を開始するタイマーと、屋外，屋内のモード選択スイッチと、天候状況を選択する天候選択スイッチと、紫外線量を予測する手段とからなり、表示部に開始からの紫外線量，現在の紫外線量，所定時間後の紫外線量のいずれかをセグメント表示するようにしたことを特徴とする。また、紫外線開始時刻と現時点での紫外線総量、モード選択スイッチ，天候選択スイッチの選択入力に基づいて、サンタン(日焼け)現象を予測するようにしたものである。また、ｉ−モード機能を備え、サンタン防止の化粧品をインターネットを通じて検索可能にしたものである。また、温度センサー、湿度センサーをさらに備え、予め記憶された相関式から熱中症の予測機能も備えたものである。
【発明の効果】
【０００５】
上記発明によれば、より精度の高い紫外線量が予測でき、所望のサンタン防止化粧品を容易に検索できる。
【発明を実施するための最良の形態】
【０００６】
以下、図面を参照しながら本発明の実施の形態について説明する。図１は、本発明に基づく紫外線測定機能付腕時計の好ましい構造を示したものであり、図２は、本発明の紫外線測定機能付腕時計のブロック図を示している。
【０００７】
紫外線測定機能付腕時計１は、液晶などの時刻表示部１０、紫外線計測スタートスイッチ１１、モード選択スイッチ１２、天候選択スイッチ１３、健康関連ユーザーインターフェース１４、天候表示部１５、紫外線センサ１６を備えており、筐体内部には、外部通信部１７、制御部(ＣＰＵ)１００、電池１８、クロック部１９、記憶部２０、温度センサー，湿度センサー等のセンサー類２１、健康関連選択スイッチ２２などを備える。
【０００８】
サーバー(情報提供サーバー)３には、紫外線光量の数値データに対応した皮膚への影響及び最適な防御策, ＳＰＦ(Sun Protection Factor)指数(サンケア指数)に対応した紫外線防止化粧品情報，ＰＡ(Protection Grade of UV-A)指数に対応した紫外線防止化粧品情報等の情報が記憶されている。また、日本全国をグリッドに分け、紫外線の日変化，気温の日変化が平均値として、晴れ，曇り，雨の場合に分けて記憶されている。また、日本列島を都道府県別にして花粉情報，インフルエンザ情報等も記憶されている。情報通信ネットワーク(インターネット)２を介してｉ−モード機能を有する紫外線測定機能付腕時計１の外部通信部１７によりアクセスし、これらの情報を得ることができる。
【０００９】
制御部１００は、データ、時計の時刻(時間)、内部から発生した制御信号、あるいは外部からの制御信号に基づいて装置内の機器の動作を処理するために使用されている。モード選択スイッチ１２で室内か屋外かを選択する。図１は、室内が選択された場合で、表示部１０の下部に「室内」と表示されている。モードを選択した後、紫外線計測スタートスイッチ１１を押して、紫外線センサ１６で紫外線計測を開始させる。紫外線センサ１５は、半導体型等公知のセンサが用いられる。制御部１００は、クロック部１９により、データと、時計の時間(時刻)とを処理する。また、室内から屋外に出ると、モード選択スイッチ１２で屋外を選択する。その場合、表示部１０の下に「屋外」と表示される。こうしてその都度こまめにモード選択スイッチ１２で選択することにより、より精度のよい紫外線量の測定・表示が可能となる。
【００１０】
ＬＥＤ等の表示装置のような時刻表示部１０は、時間及びデータを表示するものであり、この表示される。表示内容とは、制御部１００を介して、天候選択スイッチ１３により天候表示部１５に天候(晴れ，曇り，雨)等が表示される。健康関連選択スイッチ２２で、紫外線情報(予測情報も含む)、熱中症の情報(予測情報も含む)，花粉情報(予測情報も含む)，インフルエンザ情報(予測情報も含む)などを選択し、サーバー３にアクセスし健康関連ユーザーインターフェース１４に表示するようにしている。
【００１１】
図１においては、熱中症情報，紫外線情報の２つを表示させている例である。この健康関連ユーザーインターフェース１４で、記憶された紫外線データ(紫外線量：現時点の紫外線量または積算の紫外線量)をセグメント表示する。あわせて、ＳＰＦ指数も表示するようにしてもよい。
【００１２】
ＳＰＦ指数に対応する化粧品（サンタン防止の化粧品）を情報通信ネットワーク２を通じてサーバー３にアクセスし、検索可能にしてもよい。
【００１３】
また、温度センサー、湿度センサーをさらに備え、予め記憶された相関式から熱中症の予測を行い、熱中症が起こる可能性がある場合、健康関連ユーザーインターフェース１４に「熱中症」の文字を赤色等で点滅させて、注意を喚起することもできる。
【００１４】
上記で述べた本発明の実施例は、本発明をこの具体例に制限することを意図するものでなく、簡単な同程度の変更や発明の請求の範囲を逸脱しない程度の修正は本質的に同様である。
【図面の簡単な説明】
【００１５】
【図１】本発明の実施例のシステムを示す図である。
【図２】本発明に実施例のブロック図である。
【符号の説明】
【００１６】
１  紫外線測定機能付腕時計、２  情報通信ネットワーク、３  サーバー、１０  時刻表示部、１１  紫外線計測スタートスイッチ、１２  モード選択スイッチ、１３  天候選択スイッチ、１４  健康関連ユーザーインターフェース、１５  天候表示部、１６  紫外線センサ１６、１７  外部通信部、１８  電池、１９  クロック部、２０  記憶部、２１  センサー類、２２  健康関連選択スイッチ、１００  制御部(ＣＰＵ)
【図１】
2006071582.tif 000003
【図２】
2006071582.tif 000004